(57)【要約】【課題】診断に必要な複数個の質問項目を正確に表示することができ、患者は質問の答えを容易に表現することができる病状検査用プレートを提供する。【解決手段】プレート本体１２と、プレート本体１２に設けられた透孔である複数の項目表示開口部１４と、項目表示開口部１４の近傍に設けられた表スケール１８を備える。表スケール１８に沿ってスリット１６を有し、スリット１６に摺動可能に設けられ、任意の位置で係止され、表スケール１６の所望の位置を指すポインタ２４を備える。プレート本体１２に着脱自在に取り付けられ、項目表示開口部１４に露出する位置に質問項目を示す文字が印刷された項目記載板２８を有する。【選択図】図１
0003154002.tif 000002
【実用新案登録請求の範囲】
【請求項１】
板体であるプレート本体と、前記プレート本体に設けられた透孔である項目表示開口部と、前記項目表示開口部の近傍に設けられたスケールと、前記スケールに沿って形成されているスリットと、前記スリットに摺動可能に設けられ任意の位置で係止され前記スケールの所望の位置を指すポインタと、前記プレート本体に着脱自在に取り付けられ前記項目表示開口部に露出する位置に質問項目を示す文字が印刷された項目記載板が設けられていることを特徴とする病状検査用プレート。
【請求項２】
前記プレート本体に、複数個の前記項目表示開口部と前記スケールと前記スリットと前記ポインタが設けられ、前記プレート本体に、１枚の前記項目記載板が取り付けられ、前記項目記載板には、複数個の前記項目表示開口部に対向する位置に各々質問項目を示す文字が印刷されている請求項１記載の病状検査用プレート。
【請求項３】
前記スケールと前記スリットは、互いに平行な直線状に形成されている請求項１記載の病状検査用プレート。
【請求項４】
前記項目記載板には、前記プレート本体の、所定の第一セット位置に取り付けられたときに前記項目表示開口部に対向して表示される第一印刷部と、前記プレート本体の、前記第一セット位置と異なる第二セット位置に取り付けられたときに前記項目表示開口部に対向して表示される第二印刷部が設けられ、前記プレート本体または前記項目記載板には、前記項目記載板の位置を前記第一セット位置と前記第二セット位置のいずれかに位置決めする位置決め部材が設けられた請求項１記載の病状検査用プレート
【請求項５】
前記プレート本体の前記位置決め部材の近傍には、前記項目記載板を前記第一セット位置と前記第二セット位置の間の移動をガイドするガイド部が設けられている請求項２記載の病状検査用プレート。
【請求項６】
前記プレート本体の前記スケールには、前記プレート本体の患者側となる表面に設けられたイラストが印刷された表スケールと、反対側の裏面に設けられ前記表スケールの前記イラストに対向する位置に数字印刷された裏スケールが設けられ、前記ポインタは前記表スケールと前記裏スケールを同時に指す請求項２記載の病状検査用プレート。
【請求項７】
前記ポインタは、前記プレート本体の表面に位置し前記スケールを示す前記スリットよりも大きい矢印形の板体と、前記プレート本体の裏側に位置し前記数字を示す前記スリットよりも大きい矢印形の板体と、前記一対の板体の間に設けられ前記スリット幅よりも細く摺動可能な連結部が設けられ、前記スリットの側縁部には、磁性金属板が前記スリットに沿って取り付けられ、前記ポインタの前記板体には、前記磁性金属板に対向する磁石が取り付けられている請求項６記載の病状検査用プレート。
【考案の詳細な説明】
【技術分野】
【０００１】
この考案は、医師等の診察において、問診の際に使用する病状検査用プレートに関する。
【背景技術】
【０００２】
従来、医療機関では医療従事者である医師や看護師が、不調を訴えている患者に質問をしてその答えに基づいて診察を行っている。一般的に質問の項目は複数あり、患者が質問に対して正確に答えることで正しい病気の診断をすることができる。しかし、質問に正確に答えられない患者もおり、特に子供や老人、言葉や耳が不自由な人は、自分の症状を言葉でうまく表現できないことがあった。また精神疾患で受診する際も、症状が漠然としているため患者が症状の様子や程度を表現しにくく、医療従事者に伝え難いという問題があった。
【０００３】
会話障害者の意思を伝える手段としては、特許文献１に開示されている意思伝達用シートがある。この意思伝達用シートは、耐水性、耐熱性を有する合成紙で作られたシートに、イラストおよび文字が描かれたものである。シート内には、書き込みおよび貼り付け、消去が可能な余白が設けられている。この意思伝達用シートによれば、会話障害者とその周囲の人たちが、円滑な会話コミュニケーションと的確な意思伝達を実現することができるものである。
【先行技術文献】
【特許文献】
【０００４】
【特許文献１】実登３１１１４９号公報
【考案の概要】
【考案が解決しようとする課題】
【０００５】
上記背景技術の特許文献１のシートの場合、主に会話障害者を対象に一般的な事柄を伝達するために考えられたものであり、医療機関で診断の材料とすることができるものではなかった。また、精神科等の受診の際に漠然とした症状の様子や程度を、医療従事者に伝えることができるものではなかった。
【０００６】
この考案は、上記背景技術の問題点に鑑みてなされたものであり、診断に必要な複数個の質問項目を正確に表示することができ、患者は質問の答えを容易に表現することができる病状検査用プレートを提供することを目的とする。
【課題を解決するための手段】
【０００７】
本考案は、プレート本体と、前記プレート本体に設けられた透孔である項目表示開口部と、前記項目表示開口部の近傍に設けられたスケールと、前記スケールに沿って形成されているスリットと、前記スリットに摺動可能に設けられ任意の位置で係止され前記スケールの所望の位置を指すポインタと、前記プレート本体に着脱自在に取り付けられ前記項目表示開口部に露出する位置に質問項目を示す文字が印刷された項目記載板が設けられている病状検査用プレートである。
【０００８】
また、前記プレート本体に、複数個の前記項目表示開口部と前記スケールと前記スリットと前記ポインタが設けられている。前記プレート本体に、１枚の前記項目記載板が取り付けられ、前記項目記載板には、複数個の前記項目表示開口部に対向する位置に各々質問項目を示す文字が印刷されている。また、前記スケールと前記スリットは、互いに平行な直線状に形成されている。
【０００９】
また、前記項目記載板には、前記プレート本体の、所定の第一セット位置に取り付けたときに前記項目表示開口部に対向して表示される第一印刷部と、前記プレート本体の、前記第一セット位置と異なる第二セット位置に取り付けたときに前記項目表示開口部に対向して表示される第二印刷部が設けられ、前記プレート本体または前記項目記載板には、前記項目記載板の位置を前記第一セット位置と前記第二セット位置のいずれかに位置決めする位置決め部材が設けられている。
【００１０】
前記プレート本体材の前記位置決め部材の近傍には、前記項目記載板を前記第一セット位置と前記第二セット位置の間の移動をガイドするガイド部が設けられている。
【００１１】
前記プレート本体の前記スケールには、前記プレート本体の患者側となる表面に設けられイラストが印刷された表スケールと、反対側の裏面に設けられ前記表スケールの前記イラストに対向する位置に数字印刷された裏スケールが設けられ、前記ポインタは前記表スケールと前記裏スケールを同時に指すものである。
【００１２】
前記ポインタは、前記プレート本体の表面に位置し前記スケールを示す前記スリットよりも大きい矢印形の板体と、前記プレート本体の裏側に位置し前記数字を示す前記スリットよりも大きい矢印形の板体と、前記一対の板体の間に設けられ前記スリット幅よりも細く摺動可能な連結部が設けられ、前記スリットの側縁部には、磁性金属板が前記スリットに沿って取り付けられ、前記ポインタの前記板体には、前記磁性金属板に対向する磁石が取り付けられている。
【考案の効果】
【００１３】
本考案の病状検査用プレートは、診断に必要な複数個の質問項目を正確に表示することができ、患者は質問の答えを容易に表現することができ、医療従事者が正確な診断を行うことができるものである。質問項目は複数個設けることができ、項目記載板のセット位置や種類を変えることで簡単に質問項目を入れ替えることができる。さらに、言葉や耳が不自由な人の意思も伝達することができ、子供や老人でも弱い力で簡単にポインタを動かして、症状の程度を意志表示することができるものである。
【図面の簡単な説明】
【００１４】
【図１】この考案の一実施形態の病状検査用シートの正面図である。
【図２】この実施形態の病状検査用シートの背面図である。
【図３】この実施形態の病状検査用シートの図１と異なる質問項目にした正面図である。
【考案を実施するための形態】
【００１５】
以下、この考案の実施形態について図面に基づいて説明する。図１〜図３はこの考案の一実施形態を示すもので、この実施形態の病状検査用プレート１０は、適度な硬さを有する矩形の板体であるプレート本体１２が設けられている。プレート本体１２は、例えばプラスチックや金属製である。図１は病状検査用プレート１０のプレート本体１２の表面１２ａを示したものである。プレート本体１２には、透孔である項目表示開口部１４が形成されている。項目表示開口部１４は、プレート本体１２の縦方向の一方の側縁部１２ｃ近傍に形成され、側縁部１２ｃに沿って４個が互いに等間隔に設けられている。項目表示開口部１４は、側縁部１２ｃに対して直角な方向に長い矩形に形成されている。プレート本体１２の項目表示開口部１４の横には、スリット１６が各々設けられている。スリット１６は、側縁部１２ｃに対して直角な方向に長く延出し、反対側の側縁部１２ｄ近傍に達している。
【００１６】
プレート本体１２の表面１２ａには、スリット１６の上方つまりプレート本体１２の上側端縁部１２ｅに近いところに、スリット１６に対して平行な表スケール１８が印刷されている。表スケール１８は、スリット１６とほぼ同じ長さであり、長手方向に等間隔に大きく５等分する大きい目盛と、大きい目盛どうしの間をさらに１０等分する小さい目盛が印刷されている。大きい目盛の上方には、顔のイラスト２０が印刷されている。イラスト２０は６個印刷され、１番左はにこやかな表情であり、右に行くにつれて徐々に沈んだ表情に変化し、１番右は苦しい表情となる。
【００１７】
プレート本体１２の表面１２ａには、表スケール１８以外の場所に文字２２が印刷されている。プレート本体１２の上側端縁部１２ｅ近傍には、「心理検査プレート」という文字２２と、その右下に日付と性別、年齢を記入するための文字２２が印刷され、左下には氏名と病名を記入するための文字２２が印刷されている。表スケール１８の上方には、後述するポインタ２４を移動させることを説明するための文字２２が印刷されている。各スリット１６の左端部付近には「最良」、右端部付近には「最悪」という文字２２が印刷されている。
【００１８】
スリット１６には、スリット１６の長手方向に沿って摺動可能なポインタ２４が取り付けられている。ポインタ２４は、表スケール１８と後述する裏スケール３８を指すものであり、スリット１６の幅よりも大きい矢印形の板体がプレート本体１２の表面１２ａと裏面１２ｂの両側に一対が設けられ、一対の板体であるポインタ２４の間にはスリット１６の幅よりも細く摺動可能に挿通された図示しない連結部が設けられている。裏面１２ｂに設けられたポインタ２４の、裏面１２ｂに対向する面には、磁石２６が取り付けられている。
【００１９】
図２は、プレート本体１２の裏面１２ｂを示したものであり、プレート本体１２の裏面１２ｂには、４個の項目表示開口部１４を覆う１枚の項目記載板２８が取り付けられている。裏面１２ｂの項目表示開口部１４の縦方向の両側には、項目記載板２８を上下方向に移動可能にガイドする一対のレール状のガイド部３０が設けられている。一対のガイド部３０の間には、プレート本体１２の下側端縁部１２ｆに近い位置に、位置決め部材３２が設けられている。位置決め部材３２は、長辺と短辺を有する長方形の板体であり、プレート本体１２に回転可能に軸止されている。位置決め部材３２は、長辺側の端部３２ａが、項目記載板２８の下端部２８ａに当接するとき、項目記載板２８は図２の実線で示す第一セット位置Ａに取り付けられ、短辺方向の端部３２ｂが項目記載板２８の下端部２８ａに当接するとき、項目記載板２８は図２の二点鎖線で示す第二セット位置Ｂに取り付けられる。端部３２ａ，３２ｂに当接する辺の角部は項目記載板２８の下端部２８ａになめらかに接するよう角部がＲに形成されている。
【００２０】
項目記載板２８は、一対のガイド部３０の間に摺動可能に嵌合される上下に長い矩形に形成されている。項目記載板２８の表裏面には、項目記載板２８が第一セット位置Ａに取り付けられたとき、プレート本体１２の４個の項目表示開口部１４に対向する第一印刷部３４が設けられている。第一印刷部３４は４個設けられ、「痛み」「眠気」「美味しさ」「活力」という文字２２が各々印刷されている。また、項目記載板２８が第二セット位置Ｂに取り付けられたとき、プレート本体１２の４個の項目表示開口部１４に対向する第二印刷部３６が設けられている。第二印刷部３６は、第一印刷部３４と異なり「痛み」「眠気」「美味しさ」「活力」という文字２２が各々印刷されている。なお、項目記載板２８の表裏で異なる症状を表現した第一、第二印刷部３４，３６としても良い。これにより、より多くの症状に対して適用することができる。この検査項目は、日本疲労学会が制定する抗疲労評価ガイドラインによる、抗疲労臨床評価における疲労感の評価方法として示されている内容である。また、その他各種の症状を、ビジュアルアナログ的に把握するための既存のフェイススケールの項目を利用することもできる。
【００２１】
プレート本体１２の裏面１２ｂには、表スケール１８に対向する位置に裏スケール３８が印刷されている。裏スケール３８は、表スケール１８と一致する目盛と、イラスト２０に一致する数字４０が印刷されている。数字４０は６個設けられ、１番左は「５」であり、右に行くにつれて１ずつ減り、１番右は「０」である。
【００２２】
裏面１２ｂの、スリット１６の下、つまり下側端縁部１２ｆ側には、磁性金属板４２がスリット１６に沿って取り付けられている。ポインタ２４の磁石２６は、磁性金属板４２に磁着し、任意の位置でポインタ２４が係止される。
【００２３】
次に、この実施形態の病状検査用プレート１０の使用方法について説明する。医療機関の精神科等で患者に病状を質問するとき、病状検査用プレート１０に氏名、病名、日付、性別、年齢を記入する。そして、項目記載板２８を第一セット位置Ａに取り付け、項目表示開口部１４から第一印刷部３４である「痛み」「眠気」「美味しさ」「活力」を項目表示開口部１４に露出させてプレート本体１２の表面１２ａを患者に見せる。「痛み」「眠気」「美味しさ」「活力」について、患者本人が感じている程度を、ポインタ２４を動かして表スケール１８のイラスト２０に合わせ、患者本人が意思表示する。医療従事者は、プレート本体１２の裏面１２ｂを見て、ポインタ２４が指した裏スケール３８の数字４０を別紙に記録してもよい。次に、図３に示すように、位置決め部材３２を回転させて端部３２ｂを項目記載板２８の下端部２８ａに当接させて項目記載板２８を第二セット位置Ｂに取り付け、項目表示開口部１４から第二印刷部３６である「冷え性」「ほてり感」「不安」「いらいら」を項目表示開口部１４に露出させて質問項目を変えて患者に見せる。「冷え性」「ほてり感」「不安」「いらいら」について、患者本人が感じている程度を、ポインタ２４を再度動かして表スケール１８のイラスト２０に合わせ、患者本人が意思表示する。医療従事者は、裏スケール３８の数字４０を別紙に記録してもよい。質問が終わった後、項目記載板２８を交換して、新たに必要な項目を表示して質問を継続してもよい。
【００２４】
この実施形態の病状検査用プレート１０によれば、必要な質問項目を明確に表示することができ、患者は質問の答えを容易に表現することができ、病気の正確な診断を行うことができる。質問項目は複数個設けることができ、簡単に項目を入れ替えることができ、別の項目記載板２８を取り付けることにより増やすことができる。質問項目は、あらかじめ項目記載板２８に印刷されているため、必要な質問項目を聞き忘れることがなく便利である。言葉や耳が不自由な人や、子供や老人でもポインタ２４を動かしてイラスト２０を指し、意思の表示をすることができる。精神科を受診する患者も、自分の症状の程度をイラスト２０の表情を見て近いものを選ぶだけで簡単に伝えることができる。ポインタ２４は磁石２６で磁性金属板４２に磁着しているだけであり、弱い力で簡単に移動させることができ、所望の位置に係止することができる。
【００２５】
なお、この考案の病状検査用プレートは、上記実施形態に限定されるものではなく、文字の種類や配置は自由に変更可能であり、項目表示開口部やスケールの位置や形状も自由に変更可能である。スリットとポインタの形状も、患者の意思でスケールの所望の位置に移動して係止するものであればよい。ポインタの係止手段は、磁石によるもの以外に、摩擦による係止等、その他の手段を用いてもよい。質問の項目は、症状や診察の科ごとに適したものに変えることができる。質問の項目を「空腹感」等、日常的なものにし、会話が不自由な人の日常生活の意思を表示するものとして使用してもよい。プレート本体の表面に、特殊な加工を施してホワイトボード用のペンで書いた文字を消して繰り返し使用するものでもよい。
【符号の説明】
【００２６】
１０  病状検査用プレート
１２  プレート本体
１４  項目表示開口部
１６  スリット
１８  表スケール
２０  イラスト
２２  文字
２４  ポインタ
２６  磁石
２８  項目記載板
３０  ガイド部
３２  位置決め部材
３４  第一印刷部
３６  第二印刷部
３８  裏スケール
【図１】
0003154002.tif 000003
【図２】
0003154002.tif 000004
【図３】
0003154002.tif 000005